【手続補正書】
【提出日】平成16年5月25日(2004.5.25)
【手続補正１】
【補正対象書類名】明細書
【補正対象項目名】特許請求の範囲
【補正方法】変更
【補正の内容】
【特許請求の範囲】
【請求項１】
アプリケーションが生成した文書データに応じて印刷装置が解釈可能な印刷データを生成する情報処理装置であって、
複数の設定シートを用いて印刷データを生成する際の印刷設定を行う際に、複数の設定シートに別れている複数の設定項目のそれぞれの値を組み合わせて一つの複合設定を複合設定リストに登録する複合設定登録手段と、
該複合設定の１つの名称を指定することにより、前記複合設定リストに登録されている複合設定の１つを選択する選択手段と、
前記選択手段により複合設定が選択された場合に、該複合設定のすべての設定項目のそれぞれの値を複数の設定シートに設定して表示するよう制御する表示制御手段と、
前記設定シートを介して設定項目のある値が変更された場合に、変更された値が前記複合設定の名称に関連付けられている設定項目の値と異なることを認識可能に、表示されている複合設定の名称を変更する名称割り付け手段と、
を有することを特徴とする情報処理装置。
【請求項２】
複合設定の名称を入力する入力手段を更に有し、前記複合設定登録手段は、前記入力手段により入力された名称と前記複合設定を関連付けて登録しておくことを特徴とする請求項１記載の情報処理装置。
【請求項３】
前記複合設定登録手段による複合設定の登録は、複数の設定シートから可能であることを特徴とする請求項１または２に記載の情報処理装置。
【請求項４】
前記複合設定登録手段を含むプリンタドライバにより制御することを特徴とする請求項１乃至３のいずれかに記載の情報処理装置。
【請求項５】
前記登録された複合設定は、異なるプリンタドライバで利用可能であることを特徴とする請求項４記載の情報処理装置。
【請求項６】
前記名称割り付け手段は、前記複合設定の設定項目自体が登録機能を有しており、印刷設定時に該設定項目内の詳細設定が変更された際に、該変更された詳細設定が該設定項目に登録されていない場合は、該設定項目の選択リストにテンポラリの選択肢を追加し、該複合設定に設定されている設定項目に割り当てることを特徴とする請求項１乃至５のいずれかに記載の情報処理装置。
【請求項７】
前記登録機能を有している設定項目は、前記文書データにスタンプを付加するスタンプ設定であることを特徴とする請求項６記載の情報処理装置。
【請求項８】
アプリケーションが生成した文書データに応じて印刷装置が解釈可能な印刷データを生成する情報処理方法であって、
複数の設定シートを用いて印刷データを生成する際の印刷設定を行う際に、複数の設定シートに別れている複数の設定項目のそれぞれの値を組み合わせて一つの複合設定を複合設定リストに登録する複合設定登録工程と、
該複合設定の１つの名称を指定することにより、前記複合設定リストに登録されている複合設定の１つを選択させる選択工程と、
前記選択工程で複合設定が選択された場合に、該複合設定のすべての設定項目のそれぞれの値を複数の設定シートに設定して表示するよう制御させる表示制御工程と、
前記設定シートを介して設定項目のある値が変更された場合に、変更された値が前記複合設定の名称に関連付けられている設定項目の値と異なることを認識可能に、表示されている複合設定の名称を変更する名称割り付け工程と、
を含むことを特徴とする情報処理方法。
【請求項９】
複合設定の名称を入力する入力工程を更に含み、前記複合設定登録工程は、前記入力工程で入力された名称と前記複合設定を関連付けて登録しておくことを特徴とする請求項８記載の情報処理方法。
【請求項１０】
前記複合設定登録工程による複合設定の登録は、複数の設定シートから可能であることを特徴とする請求項８または９に記載の情報処理方法。
【請求項１１】
前記複合設定登録工程は、情報処理装置のプリンタドライバにおける印刷設定工程に含まれることを特徴とする請求項８乃至１０のいずれかに記載の情報処理方法。
【請求項１２】
前記登録された複合設定は、異なるプリンタドライバで利用可能であることを特徴とする請求項１１記載の情報処理方法。
【請求項１３】
前記名称割り付け工程は、前記複合設定の設定項目自体が登録機能を有しており、印刷設定時に該設定項目内の詳細設定が変更された際に、該変更された詳細設定が該設定項目に登録されていない場合は、該設定項目の選択リストにテンポラリの選択肢を追加し、該複合設定に設定されている設定項目に割り当てることを特徴とする請求項８記載の情報処理方法。
【請求項１４】
前記登録機能を有している設定項目は、前記文書データにスタンプを付加するスタンプ設定であることを特徴とする請求項１３記載の情報処理方法。
【請求項１５】
アプリケーションが生成した文書データに応じて印刷装置が解釈可能な印刷データを生成するプリンタドライバプログラムが格納された記憶媒体であって、
複数の設定シートを用いて印刷データを生成する際の印刷設定を行う際に、複数の設定シートに別れている複数の設定項目のそれぞれの値を組み合わせて一つの複合設定を複合設定リストに登録する複合設定登録工程と、
該複合設定の１つの名称を指定することにより、前記複合設定リストに登録されている複合設定の１つを選択させる選択工程と、
前記選択工程で複合設定が選択された場合に、該複合設定のすべての設定項目のそれぞれの値を複数の設定シートに設定して表示するよう制御させる表示制御工程と、
前記設定シートを介して設定項目のある値が変更された場合に、変更された値が前記複合設定の名称に関連付けられている設定項目の値と異なることを認識可能に、表示されている複合設定の名称を変更する名称割り付け工程と、
を含むことを特徴とするコンピュータ読み取り可能なプログラムが格納された記憶媒体。
【請求項１６】
複合設定の名称を入力する入力工程を更に含み、前記複合設定登録工程は、前記入力工程で入力された名称と前記複合設定を関連付けて登録しておくことを特徴とする請求項１５記載の記憶媒体。
【請求項１７】
前記複合設定登録工程による複合設定の登録は、複数の設定シートから可能であることを特徴とする請求項１５または１６に記載の記憶媒体。
【請求項１８】
前記複合設定登録工程は、情報処理装置のプリンタドライバにおける印刷設定工程に含まれることを特徴とする請求項１５乃至１７のいずれかに記載の記憶媒体。
【請求項１９】
前記登録された複合設定は、異なるプリンタドライバで利用可能であることを特徴とする請求項１８記載の記憶媒体。
【請求項２０】
前記名称割り付け工程は、前記複合設定の設定項目自体が登録機能を有しており、印刷設定時に該設定項目内の詳細設定が変更された際に、該変更された詳細設定が該設定項目に登録されていない場合は、該設定項目の選択リストにテンポラリの選択肢を追加し、該複合設定に設定されている設定項目に割り当てることを特徴とする請求項１５乃至１９のいずれかに記載の記憶媒体。
【請求項２１】
前記登録機能を有している設定項目は、前記文書データにスタンプを付加するスタンプ設定であることを特徴とする請求項２０記載の記憶媒体。
【手続補正２】
【補正対象書類名】明細書
【補正対象項目名】００１０
【補正方法】変更
【補正の内容】
【００１０】
【課題を解決するための手段】
上記課題を解決するために、本発明は、アプリケーションが生成した文書データに応じて印刷装置が解釈可能な印刷データを生成する情報処理装置であって、複数の設定シートを用いて印刷データを生成する際の印刷設定を行う際に、複数の設定シートに別れている複数の設定項目のそれぞれの値を組み合わせて一つの複合設定を複合設定リストに登録する複合設定登録手段と、該複合設定の１つの名称を指定することにより、前記複合設定リストに登録されている複合設定の１つを選択する選択手段と、前記選択手段により複合設定が選択された場合に、該複合設定のすべての設定項目のそれぞれの値を複数の設定シートに設定して表示するよう制御する表示制御手段と、前記設定シートを介して設定項目のある値が変更された場合に、変更された値が前記複合設定の名称に関連付けられている設定項目の値と異なることを認識可能に、表示されている複合設定の名称を変更する名称割り付け手段とを有する。
【手続補正３】
【補正対象書類名】明細書
【補正対象項目名】００１５
【補正方法】削除
【補正の内容】
【手続補正４】
【補正対象書類名】明細書
【補正対象項目名】００８９
【補正方法】変更
【補正の内容】
【００８９】
以上説明したように、本発明は、プリンタドライバにおける複数の印刷項目を登録しているアイコンを利用することで、すべての設定項目の変更を１アクションで簡単に行うことが出来る。例えば全シートの内容を簡単に標準に戻すことも出来るし、最初のシートだけで全シート分の設定変更が出来るメリットもある。全シートに共通のコントロールがあり同じ操作が出来るので、どのシートにいても上記一括変更を行うことができる。
【手続補正５】
【補正対象書類名】明細書
【補正対象項目名】００９２
【補正方法】変更
【補正の内容】
【００９２】
更に、プリンタドライバの対応機種が複数あり、印刷品位の項目などのようにその機種間で同じ選択肢を持つがその属性（詳細な設定内容）が各機種で異なる（機種に応じて最適な組合わせにしてある）機能を使用する際に、デフォルトに変更を加えて使う場合、ベースが判るようにデフォルトにカスタムマークを付ける仕組みになっているが、これをお気に入りに登録してから他機種用にＥｘｐｏｒｔして使う場合、ベースとなるデフォルト自体が異なるのでベースを表示することに意味がなくなるため、本発明では、印刷目的に変更を加えてから登録されたお気に入りを使う場合、専用の選択肢を設けてそれに設定を割り当てることで、その問題を解消できるという効果が得られる。
【発明の効果】
以上説明したように、本発明によれば、アプリケーションが生成した文書データに応じて印刷装置が解釈可能な印刷データを生成する情報処理装置において、複数の設定シートを用いて印刷データを生成する際の印刷設定を行う際に、複数の設定シートに別れている複数の設定項目のそれぞれの値を組み合わせて一つの複合設定を複合設定リストに登録し、該複合設定の１つの名称を指定することにより、前記複合設定リストに登録されている複合設定の１つを選択し、複合設定が選択された場合に、該複合設定のすべての設定項目のそれぞれの値を複数の設定シートに設定して表示するよう制御し、前記設定シートを介して設定項目のある値が変更された場合に、変更された値が前記複合設定の名称に関連付けられている設定項目の値と異なることを認識可能に、表示されている複合設定の名称を変更するので、複合設定の１つの名称を指定することにより、複数の設定シートに分かれている複数の設定項目のそれぞれの値を一括して選択でき、選択された設定項目のそれぞれの値が設定シートに反映して表示されるので視覚的に認識でき、更には設定項目のある値が変更された場合に表示されている複合設定の名称を変更するので、ユーザは複合設定の名称に関連付けられている設定項目の値と異なることを認識することができるという効果が得られる。